(57)【要約】【課題】ベルト張力を小さく設定しなくても衝撃吸収能力を向上させた搬送用平ベルトを提供する。【解決手段】編布を補強材としたエラストマー素材からなる搬送用平ベルトにおいて、前記編布が線条部材１０を用いて作るネットに網目Ｄを形成し、前記網目Ｄの形状が４角形に形成されるネット１８であり、前記ネット１８が各種繊維の糸状を用いて編まれる網糸を用いて作り、前記４角形の網目Ｄにおいて、前記搬送用平ベルトの長手方向に平行な線と前記各々の線条部材１０との交差角が略４５°となる搬送用平ベルトである。【選択図】　　図６
2004075371.tif 000002
【特許請求の範囲】
【請求項１】
編布を補強材としたエラストマー素材からなる搬送用平ベルトにおいて、前記編布が線条部材を用いて作るネットに網目を形成したものであることを特徴とする搬送用平ベルト。
【請求項２】
前記ネットの網目の形状が４角形に形成される請求項１に記載の搬送用平ベルト。
【請求項３】
前記ネットが各種繊維の糸状を用いて編まれる網糸を用いて作り、前記４角形の網目において、前記平ベルトの長手方向に平行な線と前記各々の網糸との交差角が略４５°となる請求項２に記載の搬送用平ベルト。
【発明の詳細な説明】
【０００１】
【発明の属する技術分野】
本発明は自動改札機、両替機、現金支払機等において硬貨の搬送をするために用いられる硬貨類搬送用に好適な搬送用平ベルトに関するものである。
【０００２】
【従来の技術】
自動改札機など硬貨類を搬送するベルトは、前記ベルト上に硬貨が落下し、落下した硬貨を搬送するようになっている。近年においてはベルトのモジュラスを向上させる為に、編み立て機で筒状に編んだ編布や袋織り布を埋設したベルトが用いられている。
【０００３】
【発明が解決しようとする課題】
しかし、これらの編布はベルトモジュラスが高いと同時にベルトの反発弾性も高く、ベルト背面以外に硬貨が移動するスペースがない場合は問題は無いが、ベルトの周辺で隙間があると、硬貨が落下したときにベルト上で弾み、硬貨が隙間に入り込み確実に搬送できない場合があった。
本発明はこのような問題点を解消する為に、弛ませて張らなくとも衝撃吸収能力を向上させたネットを補強材として埋設した搬送用平ベルトを提供することを課題とするものである。
【０００４】
【課題を解決するための手段】
本発明の請求項１は上記のような目的を達成するために、編布を補強材としたエラストマー素材からなる搬送用平ベルトにおいて、前記編布が線条部材を用いて作るネットに網目を形成したものであることを特徴とする搬送用平ベルトにある。
【０００５】
請求項１に記載の発明によると、前記編布が線条部材を用いて作るネットに網目を形成したものである搬送用平ベルトであることから、ネットには空間部が多くその空間内に柔軟なエラストマーが充填されることから、前記エラストマーが硬貨落下時の衝撃を吸収し、この為ベルト張力を弛ませて張らなくとも、その衝撃吸収能力を著しく向上させることが可能となる。
【０００６】
請求項２に記載の発明は前記ネットの網目の形状が４角形に形成される請求項１に記載の搬送用平ベルトにある。
【０００７】
請求項２に記載の発明によると、前記ネットの網目の形状が４角形に形成される請求項１に記載の搬送用平ベルトであることから、より衝撃吸収能力が向上する。
【０００８】
請求項３に記載の発明は、前記ネットが各種繊維の糸状を用いて編まれる網糸を用いて作り、前記４角形の網目において、前記平ベルトの長手方向に平行な線と前記各々の網糸との交差角が略４５°となる請求項２に記載の搬送用平ベルトである。
【０００９】
請求項３に記載の発明によると、前記ネットが各種繊維の糸状を用いて編まれる網糸を用いて作り、前記４角形の網目において、前記平ベルトの長手方向に平行な線と前記各々の糸との交差角が略４５°となる請求項２に記載の搬送用平ベルトであることから、ベルトの幅方向や長手方向に対するネットのモジュラスが高くなく、そのことからベルトが幅方向及び長手方向に比較的伸び易い。その為、硬貨が衝突した衝撃をベルトが幅方向及び長手方向に伸びることによって吸収でき、この為ベルト張力を弛ませて張らなくとも、その衝撃吸収能力を著しく向上させることが可能となる。
【００１０】
【発明の実施の形態】
以下、添付図面にしたがって本発明を説明する。図１は本発明の搬送用平ベルトの要部断面斜視図である。
本発明の搬送用平ベルト１は、エラストマー２の搬送面１ａ側に補強材としてネット１８が配置されているが、このネット１８はエラストマー２に対して埋設状態にて設けられている。
図２は、ネット１８を拡大して示す図である。このネットは太さが１ｍｍ〜３ｍｍの網糸１０により網目Ｄの形状が４角形に形成したものを用いた。ネット１８に用いられる網糸１０（線条部材）には、図３に示すようなラッセル編みの網糸１０が用いられる。ラッセル編みの網糸１０は基本的には、一並びの鎖条糸１１と、２種類の挿入糸１２，１３とから構成されている。すなわち、鎖状糸１１は図４に示すように編まれており、この鎖状糸１１に、図３に示すように挿入糸１２，１３が編み込まれて、ラッセル編みの網糸１０が形成されている。
【００１１】
図５に示すように、網糸１０の縦糸１０ａと横糸１０ｂは結び目１０ｃができるように固く結ばれて（有結節）網目Ｄの大きさや形が一定に保たれるようになっている。
【００１２】
そして、この４角形に形成したネット１８をベルト中に埋設して用いる場合は、前記ネット１８の各々の糸の方向とベルト幅およびベルト長手方向が同一方向とはならないようにしたほうが良い。
【００１３】
より好ましくは図６に示すようにネット１８の各々の網糸１０の方向とベルト幅及びべルトの長手方向とが略４５°となるようにネット１８をベルト中に埋設することが好ましい。そうすることによって、ベルト幅方向や長手方向に対するネットのモジュラスがネットの各網糸１０がベルト幅方向及び長手方向に一致する場合と比べて、高くなく、比較的ベルトは幅方向及び長手方向に伸び易くなり、その為、硬貨が衝突した衝撃を吸収し易くなる。
【００１４】
網糸１０を構成する鎖状糸１１及び挿入糸１２、１３は、ポリエチレン糸、ポリエステル糸、ナイロン糸、ビニロン糸、アラミド糸等の各種合成繊維材料により作られている。網糸１０の太さは１ｍｍ〜３ｍｍである。
【００１５】
このようにして網目Ｄが４角形に形成されたネット１８を内部に斜めに埋設したベルトを使用すると、硬貨がベルト背面に衝突した際に、図６に示すように、その衝突により生じた網糸２０の引張力は糸に沿う引張り力Ｔｃ，Ｔｄと、糸に沿わない引っ張り力Ｔａ，Ｔｂとに分かれるが、ベルトのエラストマーに対する引張り力Ｔａ，Ｔｂについては、力の掛かる方向と同方向におけるネット１８の網糸１０の抗張力が存在せず、前記引張り力Ｔａ，Ｔｂはベルト１のエラストマー部２が伸びることによって吸収される。従って、硬貨９はベルト１からの反発力が小さくなることにより、硬貨９が弾み、ベルト１背面から落下することはない。
【００１６】
本発明の搬送用平ベルト１のベルト本体を構成するエラストマーとしては、特に限定されるものではないが、水素化ニトリルゴム（ＨＮＢＲ）、ニトリルゴム（ＮＢＲ）、天然ゴム（ＮＲ）、スチレン・ブタジエンゴム（ＳＢＲ）、クロロプレンゴム（ＣＲ）、エチレン・プロピレン・ターポリマー（ＥＰＴ）、ミラブルウレタン、ウレタンなどを用いることができるが、表面の耐摩耗性に優れていることからミラブルウレタンを用いることが好ましい。
【００１７】
その他、ベルト本体を構成するエラストマーには必要に応じて、カーボンブラック、炭酸カルシウム、シリカ、可塑剤、着色剤、加硫剤、加硫促進剤、短繊維などを配合してもよい。短繊維に用いられる素材としては、ポリアミド、ポリエステル、レーヨン、ガラス繊維、カーボン繊維、アラミド繊維等が挙げられる。
【００１８】
【発明の効果】
以上のように本発明の請求項１では、前記編布が線条部材を用いて作るネットに網目を形成したものである搬送用平ベルトであることから、ネットには空間部が多くその空間内に柔軟なエラストマーが充填されることから、前記エラストマーが硬貨落下時の衝撃を吸収し、この為ベルト張力を弛ませて張らなくとも、その衝撃吸収能力を著しく向上させることが可能となるという効果が有る。
【００１９】
請求項２記載の発明では、前記ネットの網目の形状が４角形に形成される請求項１に記載の搬送用平ベルトであることから、より衝撃吸収能力が向上するという効果が有る。
【００２０】
請求項３記載の発明では、前記ネットが各種繊維の糸状を用いて編まれる網糸を用いて作り、前記４角形の網目において、前記平ベルトの長手方向に平行な線と前記各々の糸との交差角が略４５°となる請求項２に記載の搬送用平ベルトであることから、ベルトの幅方向や長手方向に対するネットのモジュラスが高くなく、そのことからベルトが幅方向及び長手方向に比較的伸び易い。その為、硬貨が衝突した衝撃をベルトが幅方向及び長手方向に伸びることによって吸収でき、この為ベルト張力を弛ませて張らなくとも、その衝撃吸収能力を著しく向上させることが可能となる効果がある。
【図面の簡単な説明】
【図１】本発明の搬送用平ベルトの一例を示す要部断面斜視図である。
【図２】本発明に使用するネットの一実施例を示すその拡大図である。
【図３】鎖状糸１１に挿入糸１２，１３をラッセル編みで編み込んだ状態を示す詳細図である。
【図４】ラッセル編みの１本分の網糸１０の一部を構成する鎖状糸１１の詳細図である。
【図５】図２に示すネットの網糸の縦糸と横糸の交差部の結び目を示す部分拡大図である。
【図６】図２に示すネットを使用したベルトに硬貨が衝突した際の衝撃による網糸の引張力の伝播する方向を示すベルトの背面図である。
【符号の説明】
１　　搬送用平ベルト
１ａ　搬送面
２　　エラストマー
９　　硬貨
１０，１０ａ〜１０ｂ　網糸
１８　　ネット
Ｄ　　網目
Ｔａ〜Ｔｄ　引張力
【図１】
2004075371.tif 000003
【図２】
2004075371.tif 000004
【図３】
2004075371.tif 000005
【図４】
2004075371.tif 000006
【図５】
2004075371.tif 000007
【図６】
2004075371.tif 000008